【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
無線医療デバイスであって、
生理学的パラメータデータを測定する少なくとも１つの生理学的センサと、
無線トランシーバと、
少なくとも１つの電子プロセッサとを有し、前記電子プロセッサが、
前記少なくとも１つの生理学的センサにより取得された生理学的パラメータデータを備えるデータパケットのシーケンスを含むデータストリームを構築し、
前記無線トランシーバを作動させ、関連付けられる監視ステーションに無線通信チャネルを介して前記データストリームを送信し、
前記関連付けられる監視ステーションにおいて受信されなかった前記データストリームの少なくとも１つの欠落したデータパケットを識別するギャップ報告を前記関連付けられる監視ステーションから受信し、及び
前記ギャップ報告により識別される少なくとも１つの欠落したデータパケットを、前記関連付けられる監視ステーションに無線通信チャネルを介して再送信するようプログラムされ、
前記トランシーバが、無線アクセスポイントＷＡＰ間でブレークビフォアメイクローミングイベントを実行し、前記トランシーバが、別のＷＡＰに接続する前に、１つのＷＡＰから切断し、前記切断と前記接続との間の時間間隔の間に前記無線通信チャネルにおけるデータ不連続性が生成される、無線医療デバイス。
【請求項２】
前記電子プロセッサが、前記無線通信チャネルの利用可能な帯域幅が所定の閾値レベル以上であるとき、全ての欠落したデータパケットを同時に再送信することにより、前記少なくとも１つの欠落したデータパケットを再送信する、請求項１に記載の無線医療デバイス。
【請求項３】
前記電子プロセッサが、前記無線通信チャネルの利用可能な帯域幅が所定の閾値レベルを下回るとき、前記欠落したデータパケットを連続的に再送信することにより、前記少なくとも１つの欠落したデータパケットを再送信する、請求項１又は２に記載の無線医療デバイス。
【請求項４】
前記少なくとも１つの生理学的センサにより取得される生理学的パラメータデータを格納するセンサデータ記憶部を更に有し、
前記再送信が、
前記センサデータ記憶部から前記少なくとも１つの欠落データパケットに含まれる前記生理的パラメータデータを取得すること、
前記取得されたバイタルサインデータから前記少なくとも１つの欠落したデータパケットを再構成すること、及び
前記再構成された少なくとも１つの欠落パケットを、前記関連付けられる監視ステーションに前記無線通信チャネルを介して送信することを含む、請求項１乃至３の任意の一項に記載の無線医療デバイス。
【請求項５】
前記データストリームの前記データパケットを格納するパケットデータ記憶部を更に有し、
前記再送信が、
前記少なくとも１つの欠落パケットを前記パケットデータ記憶部から取り出すこと、及び
前記パケットデータ記憶部から取得された前記少なくとも１つの欠落パケットを、前記関連付けられる監視ステーションに前記無線通信チャネルを介して送信することを含む、請求項１乃至３の任意の一項に記載の無線医療デバイス。
【請求項６】
前記少なくとも１つの生理学的センサにより取得される生理学的パラメータデータを格納するセンサデータ記憶部と、
Ｎが２以上の整数である前記データストリームの最後のＮ個の送信データパケットを格納するパケットデータ記憶部とを更に有し、
前記再送信が、
最後のＮ個の送信されたデータパケットにおける欠落しているパケットを前記パケットデータ記憶部から取り出すこと、
前記最後のＮ個の送信データパケットの中にない欠落データパケットに含まれる生理学的パラメータデータを前記センサデータ記憶部から取得し、前記取得されたバイタルサインデータから前記欠落したデータパケットを再構成すること、及び前記取得又は再構成された少なくとも１つの欠落パケットを、前記関連付けられる監視ステーションに前記無線通信チャネルを介して送信することを含む、請求項１乃至３の任意の一項に記載の無線医療デバイス。
【請求項７】
医療監視システムであって、
請求項１乃至６の任意の一項に記載の無線医療デバイスであって、前記少なくとも１つの電子プロセッサが、各データパケットがシーケンス番号を備える前記データパケットのシーケンスを含む前記データストリームを構築するようプログラムされる、無線医療デバイスと、
監視ステーションとを有し、
前記監視ステーションが、前記無線通信チャネルを介して前記データストリームを受信するトランシーバと、ギャップ報告ジェネレータとを含み、
前記ギャップ報告ジェネレータが、（ｉ）前記受信したデータストリームのデータパケットのシーケンス番号におけるギャップに基づき、前記監視ステーションで受信されたデータストリームにおける欠落したデータパケットを検出し、及び（ｉｉ）前記監視ステーションで受信されたデータストリームの検出された欠落データパケットを識別する前記ギャップ報告を生成するようプログラムされる電子プロセッサを含む、医療監視システム。
【請求項８】
方法を実行するため１つ又は複数のマイクロプロセッサにより読み出し可能かつ実行可能な命令を格納する非一時的記憶媒体であって、前記方法が、
少なくとも１つの生理学的センサにより取得された生理学的パラメータデータを備えるデータパケットのシーケンスを含むデータストリームを構築するステップと、
関連付けられる監視ステーションに無線通信チャネルを介して前記データストリームを送信するステップと、
前記関連付けられる監視ステーションにおいて受信されなかった複数のデータパケットの少なくとも１つの欠落したデータパケットを識別するギャップ報告を前記関連付けられる監視ステーションから受信するステップと、
前記ギャップ報告により識別される少なくとも１つの欠落したデータパケットを、前記関連付けられる監視ステーションに前記無線通信チャネルを介して再送信するステップとを有し、
前記送信するステップが、
前記関連付けられる監視ステーションに前記データストリームを送信するよう無線送信機を作動させるステップと、
前記作動ステップの間、第１のアクセスポイントとの接続を切断し、前記無線通信チャネルが切断されている時間間隔の後に、第２のアクセスポイントとの接続を確立するステップとを有する、非一時的記憶媒体。
【請求項９】
前記再送信するステップが、前記無線通信チャネルの利用可能な帯域幅が所定の閾値レベル以上であるとき、全ての欠落したデータパケットを同時に再送信するステップを有する、請求項８に記載の非一時的記憶媒体。
【請求項１０】
前記再送信するステップが、前記無線通信チャネルの利用可能な帯域幅が所定の閾値レベルを下回るとき、前記欠落したデータパケットを連続的に再送信するステップを有する、請求項８又は９に記載の非一時的記憶媒体。
【請求項１１】
前記少なくとも１つの生理学的センサにより取得される前記生理学的パラメータデータをセンサデータ記憶部に送信するステップを更に有し、
前記再送信するステップが、
前記少なくとも１つの欠落データパケットに含まれる前記生理的パラメータデータを前記センサデータ記憶部から取得するステップと、
前記少なくとも１つの欠落したデータパケットを前記取得された生理学的パラメータデータから再構成するステップと、
前記再構成された少なくとも１つの欠落パケットを、前記関連付けられる監視ステーションに前記無線通信チャネルを介して送信するステップとを含む、請求項８乃至１０の任意の一項に記載の非一時的記憶部媒体。
【請求項１２】
前記データストリームのデータパケットをパケットデータ記憶部に送信するステップを更に有し、
前記再送信するステップが、
前記少なくとも１つの欠落パケットを前記パケットデータ記憶部から取り出すステップと、
前記パケットデータ記憶部から取得された前記少なくとも１つの欠落パケットを、前記関連付けられる監視ステーションに前記無線通信チャネルを介して送信するステップとを含む、請求項８乃至１０の任意の一項に記載の非一時的記憶部媒体。
【請求項１３】
前記少なくとも１つの生理学的センサにより取得される前記生理学的パラメータデータをセンサデータ記憶部に送信するステップと、
前記データストリームのデータパケットをパケットデータ記憶部に送信するステップとを更に有し、
前記再送信するステップが、
最後のＮ個の送信されたデータパケットにおける欠落しているパケットを前記パケットデータ記憶部から取り出すステップと、
前記最後のＮ個の送信データパケットの中にない欠落データパケットに含まれるバイタルサインデータ又は生理学的パラメータデータを前記センサデータ記憶部から取得し、前記取得されたバイタルサインデータから前記欠落したデータパケットを再構成するステップと、
前記取得又は再構成された少なくとも１つの欠落パケットを、前記関連付けられる監視ステーションに前記無線通信チャネルを介して送信するステップとを含む、請求項８乃至１０の任意の一項に記載の非一時的記憶部媒体。
【請求項１４】
前記監視ステーションの前記少なくとも１つのプロセッサが更に、前記無線トランシーバを作動させ、前記無線通信チャネルを介して前記無線医療デバイスから前記少なくとも１つの欠落データパケットの再送信を受信するようプログラムされ、
前記表示要素は更に、前記少なくとも１つの欠落データパケットの再送信に含まれる生理学的データと前記プレースホルダとを置き換える、請求項８に記載の装置。
【請求項１５】
前記監視ステーションの少なくとも１つの電子プロセッサが、前記データパケットのシーケンスのデータパケットのシーケンス番号におけるギャップに基づき、前記受信されたデータストリームにおける少なくとも１つの欠落したデータパケットを検出するようプログラムされる、請求項８に記載の装置。